(57)【要約】【課題】      釣竿の操作性が良く、腕や肘の負担が少ない肘当てを実現した釣竿を提供することである。【解決手段】  肘当て部３ａの上面は軸部３ｂの中心後端から肘当て部３ａの後端３ｄにかけて後端３ｄが上方になるように傾斜されている。  傾斜角度θは軸部３ｂの中心線ａと、軸部３ｂの中心後端ｂ点から肘当て部３ａの後端３ｄの横幅中心で肉厚の中心ｃ点を結ぶ線ｄとの角度とし、３゜〜１５゜の範囲で、好ましくは５゜〜９゜である。  更に肘当て部３ａの上面は軸線方向の両側３ｅ、３ｆが上方に湾曲した肘当て面３ｇで形成され、裏面３ｈは大きくえぐられて軽量化が図られている。【選択図】        図２
2006149283.tif 000002
【特許請求の範囲】
【請求項１】
竿管の後端内周に肘当ての肘当て部に一体に形成した軸部を嵌合し、前記肘当て部の上面は前記軸部の中心後端から肘当て部の後端にかけて肘当て部の後端が上方になるように傾斜させると共に、軸線方向の両側が上方に湾曲した肘当て面で形成したことを特徴とする釣竿。
【請求項２】
肘当て部の傾斜角度は軸部の中心線と、軸部の中心後端から肘当て部の後端の横幅中心で肉厚の中心を結ぶ線との角度とし、３゜〜１５゜の範囲であることを特徴とする請求項１記載の釣竿。
【請求項３】
肘当て部の後端の両縁の間は軸線方向前側に湾曲していることを特徴とする請求項１、２記載の釣竿。
【請求項４】
肘当て部の横幅は湾曲した肘当て面の領域より幅広に形成されていることを特徴とする請求項１〜３記載の釣竿。
【発明の詳細な説明】
【技術分野】
【０００１】
本発明は、竿管の後端に取り付けた肘当てを改善した釣竿の改良に関する。
【背景技術】
【０００２】
従来竿管の後端に取り付けた肘当ては特許文献１のように、肘当て面が竿の軸心に対して平行である構造であった。
したがって本願図５のようにリ−ルと共に釣竿を握ると、肘当て３′の肘当て面と肘との間に隙間が出来やすく、無理に肘当て面に肘を載置しようとすると手首や腕や肘に負担がかかり、その結果、スム−ズな竿操作が出来難いという問題がある。
【特許文献１】特開２００２−１４２６２０号公報
【発明の開示】
【発明が解決しようとする課題】
【０００３】
解決しようとする課題は、肘当て面と肘との間に隙間が出来やすく、無理に肘当て面に肘を載置しようとすると手首や腕や肘に負担がかかり、スム−ズな竿操作が出来難いことである。
【０００４】
本発明の目的は前記欠点に鑑み、釣竿の操作性が良く、腕や肘の負担が少ない肘当てを実現した釣竿を提供することである。
【課題を解決するための手段】
【０００５】
請求項１に係わる本発明は、竿管の後端内周に肘当ての肘当て部に一体に形成した軸部を嵌合し、前記肘当て部の上面は前記軸部の中心後端から肘当て部の後端にかけて肘当て部の後端が上方になるように傾斜させると共に、軸線方向の両側が上方に湾曲した肘当て面で形成したことを要旨とするものである。
請求項２に係わる本発明は、肘当て部の傾斜角度は軸部の中心線と、軸部の中心後端から肘当て部の後端の横幅中心で肉厚の中心を結ぶ線との角度とし、３゜〜１５゜の範囲であることを要旨とするものである。
請求項３に係わる本発明は、肘当て部の後端の両縁の間は軸線方向前側に湾曲していることを要旨とするものである。
請求項４に係わる本発明は、肘当て部の横幅は湾曲した肘当て面の領域より幅広に形成されていることを要旨とするものである。
【発明の効果】
【０００６】
本発明によって、肘当てが後端に行くほどせり上がっている為、湾曲した肘当て面と肘がより密着しやすく肘が安定して、肘や腕の負担を軽減出来る。
又、釣竿操作が安定して出来る。
竿先を下に向けて釣竿を操作する際に湾曲した肘当て面がより密着する為、腕や肘への負担が軽減され、釣竿を安定して保持出来る。
誤って、落としてしまう危険が少ない。
手首と肘が水平に保てる為、無理に手首を使わなくて済み、手首への負担軽減になる。
竿を壁等に立てかける際に肘当ての後端部が竿管より径方向に偏芯する為、安定して立てかけられる。
【発明を実施するための最良の形態】
【０００７】
肘当て３の肘当て部３ａは軸部３ｂ側の前端部３ｃが円柱状で横幅が狭く、前端部３ｃの後側から後端３ｄにかけて漸次肉薄で横幅が後方に行くに従って幅が広いハ−ト形に形成されている。
肘当て部３ａの上面は図２のように軸部３ｂの後側から肘当て部３ａの後端３ｄにかけて後端３ｄが上方になるように傾斜されている。
傾斜角度θは軸部３ｂの中心線ａと、軸部３ｂの中心後端ｂ点から肘当て部３ａの後端３ｄの横幅中心で肉厚の中心ｃ点を結ぶ線ｄとの角度とし、３゜〜１５゜の範囲で、好ましくは５゜〜９゜である。
更に肘当て部３ａの上面は軸線方向の両側３ｅ、３ｆが上方に湾曲した肘当て面３ｇで形成されている。
また肘当て部３ａの後端３ｄの両縁α、βの間は軸線方向前側に図１のγのように湾曲している。
肘当て部３ａの軸部３ｂ側の前端部３ｃは円柱状で、裏面３ｈは大きくえぐられて軽量化が図られている。
軸部３ｂの外周には周溝３ｉで凹凸が形成されて周溝３ｉが接着剤溜めとなっている。
【実施例１】
【０００８】
以下、本発明を一実施例で図面に基づき説明すると、図１は釣竿を断面にした肘当ての平面図、図２は図１のＦ２−Ｆ２断面線の肘当ての断面側面図、図３は肘当ての背面図、図４は釣竿を手で握って肘当てを肘に当てた使用状態の説明図と要部拡大図である。
【０００９】
釣竿は竿管１の後端内周１ａに金属管２を介して肘当て３の肘当て部３ａに一体的に形成された軸部３ｂが嵌合されて接着剤で接着固定されている。
肘当て３は天然木、強化木、合成樹脂等で形成されている。
肘当て部３ａは図１の平面図で軸部３ｂ側の前端部３ｃが円柱状で横幅が狭く、前端部３ｃの後側から後端３ｄにかけて漸次肉薄で横幅が後方に行くに従って幅が広いハ−ト形に形成されている。
肘当て部３ａの上面は図２のように軸部３ｂの後側から肘当て部３ａの後端３ｄにかけて後端３ｄが上方になるように傾斜されている。
傾斜角度θは軸部３ｂの中心線ａと、軸部３ｂの中心後端ｂ点から肘当て部３ａの後端３ｄの横幅中心で肉厚の中心ｃ点を結ぶ線ｄとの角度とし、３゜〜１５゜の範囲で、好ましくは５゜〜９゜である。
【００１０】
更に肘当て部３ａの上面は軸線方向の両側３ｅ、３ｆが上方に湾曲した肘当て面３ｇで形成されている。
また肘当て部３ａの後端３ｄの両縁α、βの間は軸線方向前側に図１のγのように湾曲している。
後端３ｄをγのように湾曲にすると、肘当て部３ａの後端３ｄと肘との当接部で肘が痛くならない。
更に両縁α、βは面取りした円弧状に形成されていると、肘に両縁α、βが当接しても痛くならない。
また肘当て部３ａの両側３ｅ、３ｆの横幅は湾曲した肘当て面３ｇの領域より幅広に形成されている。
幅広に形成することで肘の安定性が向上する。
肘当て部３ａの軸部３ｂ側の前端部３ｃは円柱状で、裏面３ｈは大きくえぐられて軽量化が図られている。
軸部３ｂの外周には周溝３ｉで凹凸が形成されて周溝３ｉが接着剤溜めとなって強固に固定出来る。
接着剤を使用しないで脱着式の場合は、周溝３ｉにＯリング等が嵌め込まれて嵌合するようにする。
【００１１】
前記湾曲した肘当て面３ｇには例えば、ゴム系被膜の形成、ゴム板の貼着、スクリ−ン印刷、凹凸塗装等を施して滑り防止を行ってもよい。
肘当て部３ａの前端部３ｃの外径は竿管１の後端外径と略同一径であると、肘や衣類が引っ掛からずにスム−ズに竿操作が出来る。
軸部３ｂの中心に前側から穴を穿設して穂先竿や替え穂先竿を保持出来るようにしてもよい。
【００１２】
図４のように竿管１の後端内周に肘当て３が固定され、竿管１のリ−ル装着部１ｂにリ−ル４が装着されて釣りが行われる時、肘当て部３ａの湾曲した肘当て面３ｇに肘が当てられる。
肘当て部３ａの湾曲した肘当て面３ｇは後端に行くほどせり上がっているので、肘と密着しやすい。
腕を竿管１と平行に保持しても肘は湾曲した肘当て面３ｇに当接しやすい。
【００１３】
前記のように釣竿が構成されると、肘当て３が後端に行くほどせり上がっている為、湾曲した肘当て面３ｇと肘がより密着しやすく肘が安定して、肘や腕の負担を軽減出来る。
又、釣竿操作が安定して出来る。
竿先を下に向けて釣竿を操作する際に湾曲した肘当て面３ｇがより密着する為、腕や肘への負担が軽減され、釣竿を安定して保持出来る。
誤って、落としてしまう危険が少ない。
手首と肘が水平に保てる為、無理に手首を使わなくて済み、手首への負担軽減になる。
竿を壁等に立てかける際に肘当て３の後端部が竿管１より径方向に偏芯する為、安定して立てかけられる。
【産業上の利用可能性】
【００１４】
釣竿の肘当てに広く利用できる。
【図面の簡単な説明】
【００１５】
【図１】釣竿を断面にした肘当ての平面図である。
【図２】図１のＦ２−Ｆ２断面線の肘当ての断面側面図である。
【図３】肘当ての背面図である。
【図４】釣竿を手で握って肘当てを肘に当てた使用状態の説明図と要部拡大図である。
【図５】従来の肘当てを肘に当てた使用状態の説明図である。
【符号の説明】
【００１６】
１  竿管
３  肘当て
３ａ  肘当て部
３ｂ  軸部
３ｅ、３ｆ  両側
３ｇ  湾曲した肘当て面
【図１】
2006149283.tif 000003
【図２】
2006149283.tif 000004
【図３】
2006149283.tif 000005
【図４】
2006149283.tif 000006
【図５】
2006149283.tif 000007